(57)【要約】【課題】乾燥ドラムの内壁に重質系の揮発成分が付着して硬化することを防止できるような汚染土壌処理装置の提供と、重質系の揮発成分がバグフィルタの目詰まりを防止できるような汚染土壌処理装置の提供。【解決手段】重質油で汚染された汚染土壌（３）を加熱処理する乾燥ドラム（２０）と、該乾燥ドラムの内壁に付着した重質油揮発成分の固化物の様な汚染物質成分を除去するための固形物（５）を乾燥ドラム（２０）に供給する固形物供給機構（１０：例えば、固形物投入用の第１のベルトコンベア、土壌・固形物投入用の第２のベルトコンベア）とを含んでいる。【選択図】  図１
2004202347.tif 000002
【特許請求の範囲】
【請求項１】
汚染土壌を加熱処理する乾燥ドラムと、固形物を乾燥ドラムに供給する固形物供給機構とを含んでいることを特徴とする汚染土壌処理装置。
【請求項２】
汚染土壌を加熱処理する乾燥ドラムを備え、該ドラム内には汚染物質成分除去用の固形物が内蔵されていることを特徴とする汚染土壌処理装置。
【請求項３】
汚染土壌を加熱する乾燥ドラムと、該乾燥ドラムからの排気ガスを浄化するためのフィルタ手段と、該フィルタ手段に汚染物質吸着用の粉体を供給する粉体供給機構とを備えていることを特徴とする汚染土壌処理装置。
【請求項４】
前記フィルタ手段は繊維を主成分とするフィルタを有しており、前記汚染物質吸着用の粉体は、当該フィルタの繊維を通過すること無く当該繊維表面に位置し、汚染物質を吸着する性質を有している請求項３の汚染土壌処理装置。
【発明の詳細な説明】
【０００１】
【発明の属する技術分野】
本発明は、重質油で汚染された土壌を浄化するための装置に関する。より詳細には、重質油で汚染された土壌を低温で処理することが出来る汚染土壌処理装置に関する。
【０００２】
【従来の技術】
従来、油で汚染された土壌を浄化する装置は、乾燥ドラムによって灯油や軽油等の軽質油で汚染された土壌から沸点が低い揮発性の成分を揮散させて分離・分解させていた。
【０００３】
しかしながら、汚染土壌の油質は軽質油に限定されたのもののみでなく、石油産業施設跡地では原油・重油等の重質油が混入されて土壌が汚染されており、また各種産業工場跡地では軽質油に加えて重質油でも汚染されている複合汚染土壌となっている。
【０００４】
このような重質油で汚染された土壌を加熱処理で浄化する場合は、高温で加熱すると汚染土壌中から油膜・油臭が発生して、生活環境リスクの原因となって好ましくない。したがって、低温で汚染土壌を加熱するのが好適である。
【０００５】
しかし、例えば特開２００２−２６３６３３号公報に記載されているように、重質油で汚染された土壌を低温加熱処理すると、加熱処理を行う乾燥ドラムの内壁に重質系の揮発成分が付着する。そして付着した揮発成分（油分）が硬化して断熱効果をもたらし、乾燥ドラムによる効率的な低温加熱処理が困難になる、という問題がある。
【０００６】
また、重質油で汚染された土壌を低温加熱処理する際の重質系の揮発成分がバグフィルタの目詰まりという障害の原因となる。バグフィルタが目詰まりを起こすと、フィルタ機能を減じて正常運転が出来なくなる、という問題がある。
【０００７】
【発明が解決しようとする課題】
本発明は上述したような従来技術の問題点に鑑みて提案されたものであり、乾燥ドラムの内壁に重質系の揮発成分が付着して硬化することを防止できるような汚染土壌処理装置の提供を目的としている。
また本発明は、重質系の揮発成分がバグフィルタの目詰まりを防止できるような汚染土壌処理装置の提供を目的としている。
【０００８】
【課題を解決するための手段】
本発明の汚染土壌処理装置は、（重質油で汚染された）汚染土壌（３）を加熱処理する乾燥ドラム（２０）と、（該乾燥ドラムの内壁に付着した重質油揮発成分の固化物の様な汚染物質成分を除去するための）固形物（５）を乾燥ドラム（２０）に供給する固形物供給機構（１０）（例えば、固形物投入用の第１のベルトコンベア、土壌・固形物投入用の第２のベルトコンベア）とを含んでいる（請求項１）。
【０００９】
また、本発明の汚染土壌処理装置は、（重質油で汚染された）汚染土壌（３）を加熱処理する乾燥ドラム（２０）を備え、該ドラム内（２０）には（該乾燥ドラムの内壁に付着した重質油揮発成分の固化物の様な）汚染物質成分除去用の固形物（５）が混入されている（請求項２）。
【００１０】
係る構成を具備する本発明によれば、前記固形物が試料粉砕用のボールミルにおけるボールの様な役割を果たし、乾燥ドラム内に付着した重質油揮発成分の固化物の様な汚染物質成分が固化する前に叩き落す、こすり落とす、剥ぎ取る作用を奏するので、乾燥ドラムの内壁に重質系の揮発成分が付着してもそれが硬化する以前の段階で前記固形物により除去される。
【００１１】
換言すれば、前記固形物は、乾燥ドラム内に付着した（重質油揮発成分の固化物の様な）汚染物質成分が固化する前に叩き落す、こすり落とす、剥ぎ取る作用を奏するものであり、且つ、当該乾燥ドラムを破損しないものであれば良い。
当該固形物の比重が小さすぎると、その様な汚染物質成分が固化する以前に除去することが困難である。一方、当該固形物の比重が大きすぎると、乾燥ドラムに供給された際にドラムを破損する恐れがあるので不都合である。
【００１２】
また、当該固形物の表面が滑らか過ぎても、汚染物質の除去に不適当である。また、乾燥ドラムのみならず、該ドラムに供給するためのホッパや、該ドラムに連続する各種機器、例えばエレベータの損傷を防止するため、当該固形物の寸法は、最大でも１００ｍｍ以下が好ましい。
【００１３】
さらに、前記固形物としては、処理済みの土壌に混ざっても、問題が無いものでなければならない。すなわち、環境面からリサイクル材として問題が無いものである必要がある。
【００１４】
そして、産業廃棄物として環境に悪影響を与えないように、前記固形物は篩等の選別手段により選別出来るものが好ましい。
浄化処理後の土壌は湿潤のものだから、回転或いは振動を行う選別手段（例えば振動篩）が好ましい。
【００１５】
本発明の汚染土壌処理装置は、（重質油で汚染された）汚染土壌（３）を加熱する乾燥ドラム（２０）と、（重質油の揮発成分のような汚染物質を包含する）該乾燥ドラム（２０）からの排気ガス（Ｇ）を浄化するためのフィルタ手段（例えばバグフィルタなど）と、該フィルタ手段に汚染物質吸着用の粉体（Ｐｗ）を供給する粉体供給機構（３０）（粉体投入槽、粉体投入用パイプ等）とを備えている（請求項３）。
【００１６】
ここで、前記フィルタ手段は繊維を主成分とするフィルタ（３６）を有しており、前記汚染物質吸着用の粉体は、当該フィルタ（３６）の繊維を通過すること無く当該繊維表面に位置し、汚染物質（重質油の揮発成分）を吸着する性質を有しているのが好ましい（請求項４）。
【００１７】
係る構成を有する本発明によれば、繊維を主成分とする濾布によるフィルタをもつフィルタ手段のバグフィルタに、乾燥ドラムから重質油の揮発成分である汚染物質を導くダクトを連通させ、そのダクトに汚染物質を吸着する粉体を噴射注入させる粉体供給機構が設けられていることが好ましい。粉体供給機構は、ダクトに連通する粉体投入用パイプと、粉体投入用パイプに連通する粉体投入槽とで構成されることが好ましい。
【００１８】
粉体投入槽はフィルタ手段のバグフィルタ近傍に設置され、定量ずつ粉体をダクトに噴射してバグフィルタ内の濾布に付着させる。
乾燥ドラムから送られる乾燥ガス中の重質油成分は、濾布を通過する際に粉体に付着吸着され濾布には直接に付着されにくくなる。
粉体に付着吸着された重質油成分は定期的に振動篩をかけられて、粉体ごとダストと共に回収される。
【００１９】
これに加えて、本発明の汚染土壌処理装置においては、（重質油で汚染された）汚染土壌を加熱処理する乾燥ドラムと、（重質油の揮発成分のような汚染物質を包含する）該乾燥ドラムからの排気ガスを浄化するためのフィルタ手段（例えばバグフィルタなど）と、（前記乾燥ドラムの内壁に付着した重質油揮発成分の固化物の様な汚染物質成分を除去するための）固形物を乾燥ドラムに供給する固形物供給機構（例えば、固形物投入ベルトコンベア、土壌・固形物投入ベルトコンベア）と、該フィルタ手段に汚染物質吸着用の粉体を供給する粉体供給機構（粉体投入槽、粉体投入用パイプ等）とを備え、前記フィルタ手段は繊維を主成分とするフィルタを有しており、前記汚染物質吸着用の粉体は、当該フィルタの繊維を通過すること無く当該繊維表面に位置し、汚染物質（重質油の揮発成分）を吸着する性質を有しているのが好ましい。
或いは、前記固形物供給機構に代えて、前記ドラム内に（該乾燥ドラムの内壁に付着した重質油揮発成分の固化物の様な）汚染物質成分除去用の固形物が混入されていても良い。
【００２０】
【発明の実施の形態】
以下、添付図面を参照して、本発明の実施形態について説明する。
図１は、本発明の第1実施形態を示している。
本発明の汚染土壌処理装置１は乾燥ドラム２０と、乾燥ドラム２０に固形物を供給する固形物供給機構１０と、フィルタ手段のバグフィルタ３４と、バグフィルタ３４に粉体を供給する粉体供給機構３０と、冷却ドラム４０と、貯蔵サイロ４４とで主要構成がされている。
【００２１】
固形物供給機構１０は、固形物５を搬送する第１のベルトコンベヤ１１と、第２のベルトコンベヤ１２と、ホッパ１４と、第５のベルトコンベヤ１６とで構成されている。固形物供給機構１０で供給される固形物５は、乾燥ドラム２０内の油分による固化物を除去する重量の目安としての径サイズは１００ｍｍ以下がよく、外形形状はある程度の角のある、ただし汚染土壌処理装置内を循環させる場合にホッパやエレベータ等を損傷させない固形物がよい。また浄化土壌７と共に埋め立て等に使用された場合に環境悪化となる性状のないものが好ましい。
【００２２】
第２のベルトコンベヤ１２は、適宜な場所に集積された汚染土壌３を第１のベルトコンベヤ１１からの固形物と混載してホッパ１４に搬送し投入するように構成されている。
【００２３】
ホッパ１４は、汚染土壌３と固形物５を所定の量ずつ乾燥ドラム２０に供給するよう構成されている。
【００２４】
第３のベルトコンベヤ１６は、ホッパ１４からの所定量の汚染土壌３と固形物５をバッチ方式で乾燥ドラム２０に供給するよう構成されている。
【００２５】
乾燥ドラム２０は、汚染土壌３と固形物５を回転攪拌しながら油膜・油臭の発生しない所定の低温で乾燥ガスによって加熱し、蒸発した重質油を含む排気ガスＧをダクト２４からバグフィルタ３４に送気するよう、また乾燥し脱油された汚染土壌３と固形物５を吐出口２２から排出するよう構成されている。
【００２６】
この乾燥ドラム２０内での汚染土壌３の加熱、乾燥時に、固形物５はドラム２０の回転によって落下する際にドラム２０の内壁に付着した油分を叩き落とし、擦り取る。その結果、乾燥ドラム２０の機能が劣化せずに汚染土壌３と乾燥ガスとの間での熱交換が正常に行われて、重質油を含む汚染土壌３の低温加熱処理が可能になるよう構成されている。
【００２７】
乾燥ドラム２０のダクト２４の反対側下方に設けられた吐出口２２に、エレベータ２６が投入口２８を介して冷却ドラム４０に連通されている。
【００２８】
冷却ドラム４０は、投入部２８から供給された固形物５と浄化された浄化土壌７を所定温度まで冷却して、隣接して設置された貯蔵サイロ４４に投入するよう構成されている。
【００２９】
貯蔵サイロ４４は、底部に漏斗部４４が形成され、その漏斗部４４から冷却された浄化土壌７と固形物５との所定量をバッチ方式で第４のベルトコンベヤ４８を介して振動篩５０に供給するよう構成されている。なお、振動篩５０への浄化土壌７と固形物５の供給は浄化土壌７の堆積場所が確保され、第５のベルトコンベヤ５２の容量があれば連続供給方式でもよい。
【００３０】
振動篩５０は、振動によって網棚上に固形物５を残して浄化土壌７を落下させ、固形物５を第５のベルトコンベヤ５２に送るよう、浄化土壌７を図示の例では運搬車９に積載して搬出するよう構成されている。
【００３１】
バグフィルタ３４は、濾布で濾過機能を果たす公知の機能、構成を備えていて、ダクト２４からの汚染物質である重質油成分を含む排気ガスＧを導入して繊維を主成分とする濾布３６によって油分を分離すると共に無害ガスＧｎを排気装置３８から外部に排出するよう構成されている。
【００３２】
バグフィルタ３４の近傍に、無機材である微粉体Ｐｗを供給する粉体供給機構３０が設けられている。
【００３３】
粉体供給機構３０は、粉体Ｐｗを貯蔵する粉体投入槽３１と、ダクト２４に粉体Ｐｗを噴射注入するノズル３３と、ノズル３３と粉体投入槽３１を連通する粉体投入用パイプ３２とで構成され、バグフィルタ３４の運転に応じて所定必要量の粉体Ｐｗをバグフィルタ３４に供給するよう構成されている。
【００３４】
バグフィルタ３４は、粉体Ｐｗを濾布３６に付着させ、その濾布３６の繊維に付着した粉体Ｐｗに排気ガスＧ中の重質油成分を吸着させ、かつ重質油成分を吸着した粉体Ｐｗを定期的あるいは随時に、振動あるいは衝撃付与等によって分離させダストと共に回収するよう構成されている。
【００３５】
上記構成の汚染土壌処理装置の作用を説明する。
最初に、汚染土壌３と第１のベルトコンベヤ１１から供給された固形物５とが第２のベルトコンベヤ１２で混載されホッパ１４に投入される。ホッパ１４は汚染土壌３と固形物５とを所定量だけバッチ方式で第３のベルトコンベヤ１６を介して乾燥ドラム２０に供給する。
【００３６】
乾燥ドラム２０では、汚染土壌３中の重質油分を油膜・油臭の発生しない低温加熱によって、排気ガスＧと油分を分離された浄化土７にする。この過程で、加熱された重質油の揮発成分が乾燥ドラム２０の内壁に付着してそのまま放置すれば固化するので、この固化前に固形物５がドラム回転と共に回転あるいは落下しながら叩き落し、こすり落し、剥ぎ取りの作用をして重質油の揮発成分の固化を予防する。その結果、汚染土壌３と乾燥ガスとの間熱交換が正常に行はれ、低温加熱処理が可能になる。
【００３７】
乾燥ドラムから２０で油分を分離された浄化土壌７は固形物５と共に、吐出口２２、エレベータ２６および投入部２８を経由して冷却ドラム４０に投入され適宜の温度まで冷却され、貯蔵サイロ４４に投入される。
【００３８】
浄化土壌７と固形物５は、貯蔵サイロ４４の漏斗部４４から所定量をバッチ方式で第４のベルトコンベヤ４８を介して振動篩５０に供給される。
【００３９】
振動篩５０では、振動によって網棚上に固形物５を残して浄化土壌７を落下させ、運搬車９に積載して搬出させ、固形物５を第５のベルトコンベヤ５２に送る。
第５のベルトコンベヤ５２に集積された固形物５は、リサイクル利用材として第１のベルトコンベヤ１１に送られ、再使用される。
【００４０】
一方、乾燥ドラム２０で汚染土壌３から蒸発分離された重質油成分を含む排気ガスＧは、ダクト２４を通ってバグフィルタ３４に導かれる。
このとき、ダクト２４のバグフィルタ３４側の端部に設けられたノズル３３から粉体投入槽３０内の粉体Ｐｗがダクト２４に噴射注入され、バグフィルタ３４内に分散される。
【００４１】
バグフィルタ３４内に分散された粉体Ｐｗは濾布３６に付着して、その後に流入される排気ガスＧ中の重質油成分を軽質油成分と共に吸着する。また、油分を除かれた排気ガスＧ中の無害ガスＧｎは濾布３６を通って排気装置３８から外部に排出される。
【００４２】
重質油成分を軽質油成分と共に吸着した粉体Ｐｗは、振動あるいは衝撃等によって濾布３６から脱落させてダストと共に回収される。
【００４３】
このようにして、汚染土壌３の土壌部分は無害な浄化土壌７として回収され、重質油成分は無害ガスＧｎとなって排出される。また、乾燥ドラム２０での低温加熱処理を保証させるための固形物５は、汚染土壌処理装置１内を循環して無限に利用される。
【００４４】
図２は、本発明の第２実施形態を示している。
本発明の汚染土壌処理装置２は固形物５が内蔵された乾燥ドラム２０と、乾燥ドラム２０に汚染土壌３を供給する汚染土壌供給機構１０Ａと、フィルタ手段のバグフィルタ３４と、バグフィルタ３４に粉体を供給する粉体供給機構３０と、冷却ドラム４０と、貯蔵サイロ４４とで主要構成がされている。
【００４５】
汚染土壌供給機構１０Ａは、汚染土壌３を搬送する第１のベルトコンベヤ１２Ａと、ホッパ１４と、第２のベルトコンベヤ１６Ａとで構成されている。乾燥ドラム２０に内蔵される固形物５は、乾燥ドラム２０内の油分による固化物を除去する重量の目安としての径サイズは１００ｍｍ以下がよく、外形形状はある程度の角のある、ただし乾燥ドラム２０内を循環させる場合に内壁を損傷させない固形物がよい。また工事完了後に浄化土壌７と共に埋め立て等に使用された場合に環境悪化となる性状のないものが好ましい。
【００４６】
第１のベルトコンベヤ１２Ａは、適宜な場所に集積された汚染土壌３をホッパ１４に搬送し投入するように構成されている。
【００４７】
ホッパ１４は、汚染土壌３を所定の量ずつ第２のベルトコンベヤ１６Ａに供給するよう構成されている。
【００４８】
第２のベルトコンベヤ１６Ａは、ホッパ１４からの所定量の汚染土壌３を乾燥ドラム２０に供給するよう構成されている。
【００４９】
乾燥ドラム２０は、汚染土壌３と内蔵された固形物５を回転攪拌しながら油膜・油臭の発生しない所定の低温で乾燥ガスによって加熱し、蒸発した重質油を含む排気ガスＧをダクト２４からバグフィルタ３４に送気するよう、また乾燥した汚染土壌３を網体２１を通して固形物５を残して吐出口２２から排出するよう構成されている。
【００５０】
この乾燥ドラム２０内での汚染土壌３の加熱、乾燥時に、固形物５はドラム２０の回転によって落下する際にドラム２０の内壁に付着した油分を叩き落とし、擦り取る。その結果、乾燥ドラム２０の機能が劣化せずに汚染土壌３と乾燥ガスとの間での熱交換が正常に行われて、重質油を含む汚染土壌３の低温加熱処理が可能になるよう構成されている。
【００５１】
乾燥ドラム２０のダクト２４の反対側下方に設けられた吐出口２２に、エレベータ２６が冷却ドラム４０の投入口２８を介して冷却ドラム４０に連通されている。
【００５２】
冷却ドラム４０は、投入部２８から供給された加熱され浄化された浄化土壌７を所定温度まで冷却して、隣接して設置された貯蔵サイロ４４に投入するよう構成されている。
【００５３】
貯蔵サイロ４４は、底部に漏斗部４４が形成され、その漏斗部４４から冷却された浄化土壌７の所定量をバッチ方式で第３のベルトコンベヤ４８Ａを介して外部に、図示の例では運搬車９に積載して搬出するよう構成されている。
【００５４】
バグフィルタ３４は、濾布で濾過機能を果たす公知の機能、構成を備えていて、ダクト２４からの汚染物質である重質油成分を含む排気ガスＧを導入して繊維を主成分とする濾布３６によって油分を分離すると共に無害ガスＧｎを排気装置３８から外部に排出するよう構成されている。
【００５５】
バグフィルタ３４の近傍に、無機材である微粉体Ｐｗを供給する粉体供給機構３０が設けられている。
【００５６】
粉体供給機構３０は、粉体Ｐｗを貯蔵する粉体投入槽３１と、ダクト２４に粉体Ｐｗを噴射注入するノズル３３と、ノズル３３と粉体投入槽３１を連通する粉体投入用パイプ３２とで構成され、バグフィルタ３４の運転に応じて所定必要量の粉体Ｐｗをバグフィルタ３４に供給するよう構成されている。
【００５７】
バグフィルタ３４は、粉体Ｐｗを濾布３６の繊維に付着させ、その濾布３６に付着した粉体Ｐｗに排気ガスＧ中の重質油成分を吸着させ、かつ重質油成分を吸着した粉体Ｐｗを振動あるいは衝撃付与等によって分離させダストと共に回収するよう構成されている。したがって、定期的あるいは随時に重質油成分を吸着した粉体Ｐｗを除去できるよう構成されている。
【００５８】
上記構成の汚染土壌処理装置の作用を説明する。
最初に、汚染土壌３が第１のベルトコンベヤ１２Ａでホッパ１４に投入される。
ホッパ１４は汚染土壌３を所定量だけ第３のベルトコンベヤ１６によって乾燥ドラム２０に供給する。
【００５９】
乾燥ドラム２０では、汚染土壌３中の重質油分を低温加熱によって、排気ガスＧと油分を分離された油膜・油臭の発生しない浄化土７にする。この過程で、加熱された重質油の揮発成分が乾燥ドラム２０の内壁に付着してそのまま放置すれば固化するので、この固化前に固形物５がドラム回転と共に回転あるいは落下しながら叩き落し、こすり落し、剥ぎ取りの作用をして重質油の揮発成分の固化を予防する。その結果汚染土壌３と乾燥ガスとの間の熱交換が正常に行はれ、低温加熱処理が可能になる。
【００６０】
乾燥ドラムから２０で油分を分離された浄化土壌７は網体２１を通過して吐出口２２、エレベータ２６および投入部２８を経由して冷却ドラム４０に投入され適宜の温度まで冷却され、貯蔵サイロ４４に投入される。
【００６１】
浄化土壌７は、貯蔵サイロ４４の漏斗部４４から所定量をバッチ方式で第３のベルトコンベヤ４８Ａを介して運搬車９に積載され搬出される。
【００６２】
一方、乾燥ドラム２０で汚染土壌３から蒸発分離された重質油成分を含む排気ガスＧは、ダクト２４を通ってバグフィルタ３４に導かれる。
このとき、ダクト２４のバグフィルタ３４側の端部に設けられたノズル３３から粉体投入槽３０内の粉体Ｐｗがダクト２４に噴射注入され、バグフィルタ３４内に分散される。
【００６３】
バグフィルタ３４内に分散された粉体Ｐｗは濾布３６に付着して、その後に流入される排気ガスＧ中の重質油成分を軽質油成分と共に吸着する。また、油分を除かれた排気ガスＧ中の無害ガスＧｎは濾布３６を通って排気装置３８から外部に排出される。
【００６４】
重質油成分を軽質油成分と共に吸着した粉体Ｐｗは、振動あるいは衝撃等によって濾布３６から脱落させてダストと共に回収される。
【００６５】
このようにして、汚染土壌３は無害な浄化土壌７として回収され、重質油成分は無害ガスＧｎとなって排出される。また、乾燥ドラム２０での低温加熱処理を保証させるための固形物５は、繰り返しリサイクル利用される。
【００６６】
以上の図示の実施形態はあくまでも例示であり、本発明の技術範囲を限定する趣旨ではない。
例えば、図１の第１の実施形態では、乾燥ドラム２０内壁に付着した重質油を削除する固形物５は、乾燥ドラム２０の外部から供給され、乾燥ドラム２０から排出されて、汚染土壌処理装置１内を循環するように構成されているが、当該重質油削除用の固形物５の全量を循環させずに、乾燥ドラム２０内に所定量残存させる様に構成すれば、乾燥ドラム２０内に残存した固形物５中に蓄積された熱量の分だけ、乾燥ドラム２０の加熱熱量を低減することが可能である。
【００６７】
【発明の効果】
本発明の作用効果を以下に列挙する。
（ａ）  本発明によれば、固形物を乾燥ドラムに供給するので、固形物が乾燥ドラム内で落下あるいは回転して重質油がドラム内壁に固着することを防止し、重質油の固化物付着による汚染土壌と乾燥ガスとの熱交換不良を防止して乾燥ドラムの正常運転ができる。
（ｂ）  乾燥ドラムに固形物を供給する固形物供給機構を備えているので、固形物の供給及び交換が容易であり常に新しい固形物を多量に供給して重質油の固化物付着を防止できる。
（ｃ）  乾燥ドラム内に固形物を混入させれば、重質油の乾燥ドラム内壁への付着・固化を防止できる。
（ｄ）  乾燥ドラムからの排気ガスを浄化するためのフィルタ手段に粉体供給機構から汚染物質吸着用の粉体を供給するので、粉体が排気ガス中の汚染物質を吸着して無害の排気ガスを分離できる。
（ｅ）  フィルタ手段は繊維を主成分とするフィルタを備えているので、汚染物質吸着用の粉体が繊維表面に付着し易く、その粉体によって汚染物質の吸着が効率的にできる。
（ｆ）  汚染物質が繊維表面の粉体に付着するので、定期的あるいは随時に振動あるいは衝撃付与によってフィルタから容易に付着物を除去できる。
【図面の簡単な説明】
【図１】本発明の汚染土壌処理装置の第１の実施形態のブロック構成図。
【図２】汚染土壌処理装置の第２の実施形態のブロック構成図。
【符号の説明】
Ｇ・・・排気ガス
Ｐｗ・・粉体
１・・汚染土壌処理装置の第１の実施形態
２・・汚染土壌処理装置の第２の実施形態
３・・・汚染土壌
５・・・固形物
７・・・浄化土壌
９・・・搬送車
１０・・・固形物供給機構
１１・・・第1のベルトコンベヤ
１２・・・第２のベルトコンベヤ
１４・・・ホッパ
１６・・・第３のベルトコンベヤ
２０・・・乾燥ドラム
２６・・・エレベータ
３０・・・粉体供給機構
３１・・・粉体投入槽
３２・・・粉体投入用パイプ
３３・・・ノズル
３４・・・バグフィルタ
３６・・・濾布（フィルター）
４０・・・冷却ドラム
４４・・・貯蔵サイロ
４８・・・第４のベルトコンベヤ
５０・・・振動篩
５２・・・第５のベルトコンベヤ
【図１】
2004202347.tif 000003
【図２】
2004202347.tif 000004